(57)【要約】【課題】愛玩動物を散歩させている間に、愛玩動物が排泄した糞を分解処理することが可能で、しかもランニングコストが掛からない愛玩動物の糞処理装置を提供する。【解決手段】本糞処理装置１は、愛玩動物が排泄する糞を分解処理する微生物および当該微生物を保持する微生物用担体が収容される収容容器２と、収容容器２の両側面部２ａ，２ａをそれぞれ貫通する車軸７，７を介して収容容器２の側方に取り付けられた一対の車輪３，３と、車軸７，７上に配設され、微生物用担体を攪拌する４本の攪拌羽根９…とから概略構成されている。収容容器２の両側面部２ａ，２ａをそれぞれ貫通する車軸７，７は、収容容器２の中央部においてスリーブ８で連結されており、左右の車輪３，３は、独立して回転することができる。また、収容容器２の前部には、糞処理装置１を牽引するための牽引レバー４が取り付けられている。【選択図】図２
2008079546.tif 000002
【特許請求の範囲】
【請求項１】
愛玩動物が排泄する糞を微生物により分解処理する糞処理装置であって、
上面に開口部を有し、前記微生物および前記微生物を保持する微生物用担体が収容される収容容器と、前記収容容器の対向する側面部をそれぞれ貫通する車軸を介して前記収容容器の側方に取り付けられる車輪と、前記車軸同士を連結するスリーブと、前記車軸上に配設され、前記微生物用担体を攪拌する攪拌羽根と、前記収容容器を牽引するための牽引レバーとを備えることを特徴とする愛玩動物の糞処理装置。
【請求項２】
前記攪拌羽根は、中間部が棒状とされ、先端部が平板状とされていることを特徴とする請求項１に記載の愛玩動物の糞処理装置。
【請求項３】
前記車輪を回転させるためのハンドルが前記車輪に装着可能とされていることを特徴とする請求項１または２に記載の愛玩動物の糞処理装置。
【発明の詳細な説明】
【技術分野】
【０００１】
本発明は、犬等の愛玩動物が排泄する糞を微生物により分解処理する糞処理装置に関する。
【背景技術】
【０００２】
犬を散歩させている際に犬が糞をしたときは、飼い主が責任を持って犬の糞を処理することが公衆衛生上求められている。このため、多くの飼い主は、犬の糞を回収する回収袋等を携帯して犬の散歩に出かけている。そして、回収した犬の糞は持ち帰って土に埋めたり、ゴミと一緒に焼却処分することが行われている。
しかし、大型犬など大量の糞が生じる場合には、土に埋めるのにも限界があり、ゴミとして焼却処分するにしても臭気を発するため問題がある。また、キャッサバを食べた犬の糞は硬くなる傾向にあり、このような硬い糞は、土に埋めたとしても微生物による分解が行われにくく、長期間、糞の状態のままである可能性が高く、焼却処分するにしても硬い糞を無臭化させるのは難しいという問題がある。
【０００３】
そこで、特許文献１では、内部に収容空間を有する糞処理装置本体と、糞処理装置本体の収容空間内に収容される微生物用担体および有機物分解微生物と、微生物用担体を撹拌する撹拌手段と、糞処理装置本体の収容空間内の温度を制御するヒーターと、収容空間内の空気を排出する排気ファンとを備えた犬の糞処理装置が開示されている。そして、この糞処理装置によれば、収容空間内に投入された犬の糞を好気性の放線菌系類菌が分解処理するので、比較的大量で且つ硬い犬の糞を効率良く分解処理することができるとされている。
【特許文献１】特開２００４−６５００５号公報
【発明の開示】
【発明が解決しようとする課題】
【０００４】
しかしながら、特許文献１に記載された犬の糞処理装置では、モータで撹拌手段を駆動するため、屋外で使用することができず、散歩中に犬が排泄した糞を自宅まで持ち帰らなければならないという煩わしさがあるうえ、電力を使用するためランニングコストが掛かるという問題がある。
【０００５】
本発明は、上述する問題点に鑑みてなされたもので、愛玩動物を散歩させている間に、愛玩動物が排泄した糞を分解処理することが可能で、しかもランニングコストが掛からない愛玩動物の糞処理装置を提供することを目的とする。
【課題を解決するための手段】
【０００６】
上記目的を達成するため、本発明は、愛玩動物が排泄する糞を微生物により分解処理する糞処理装置であって、上面に開口部を有し、前記微生物および前記微生物を保持する微生物用担体が収容される収容容器と、前記収容容器の対向する側面部をそれぞれ貫通する車軸を介して前記収容容器の側方に取り付けられる車輪と、前記車軸同士を連結するスリーブと、前記車軸上に配設され、前記微生物用担体を攪拌する攪拌羽根と、前記収容容器を牽引するための牽引レバーとを備えることを特徴としている。
【０００７】
本発明は、微生物および微生物用担体が収容される収容容器に車輪を取り付け、車輪の回転力を利用して車軸上に配設した攪拌羽根を回転させ、微生物用担体を攪拌するものである。このため、微生物用担体の攪拌に電力を必要とせず、愛玩動物を散歩させている間に、愛玩動物が排泄した糞を分解処理することができる。
また、１本の車軸の両端にそれぞれ車輪を取り付けるのではなく、２本の車軸をスリーブで連結し、連結された車軸の両端にそれぞれ車輪を取り付ける構成としているので、左右の車輪が独立して回転することができる。その結果、反転等が容易でスムーズに進行方向を変えることができる。
【０００８】
また、本発明では、前記攪拌羽根は、中間部が棒状とされ、先端部が平板状とされていることを好適とする。
本発明では、攪拌羽根の中間部を棒状とすることにより、微生物用担体を攪拌する際の抵抗を小さくするとともに、攪拌羽根の先端部を平板状とすることにより、微生物用担体を均一に攪拌することができる。
【０００９】
また、本発明では、前記車輪を回転させるためのハンドルが前記車輪に装着可能とされていてもよい。
本発明では、車輪に装着したハンドルを回して車輪を回転させ、微生物用担体を攪拌させることができるので、散歩ができない場合でも、愛玩動物の糞を自宅で分解処理することができる。
【発明の効果】
【００１０】
本発明に係る愛玩動物の糞処理装置では、微生物および微生物用担体が収容される収容容器に車輪を取り付け、車輪の回転力を利用して車軸上に配設した攪拌羽根を回転させ、微生物用担体を攪拌するので、愛玩動物を散歩させている間に、愛玩動物が排泄した糞を分解処理することができる。また、微生物用担体の攪拌に電力を必要としないのでランニングコストも掛からない。
【発明を実施するための最良の形態】
【００１１】
本発明に係る愛玩動物の糞処理装置１は、図１に示すように車輪３を備えているので、犬等の愛玩動物Ｄを散歩させる際に牽引することができる。以下、図２および図３に基づいて、糞処理装置１の構成について説明する。なお、以降の説明では、便宜上、糞処理装置１の進行方向を「前」、その逆方向を「後」と呼ぶことにする。
【００１２】
本糞処理装置１は、愛玩動物が排泄する糞を分解処理する微生物および当該微生物を保持する微生物用担体が収容される収容容器２と、収容容器２の両側面部２ａ，２ａをそれぞれ貫通する車軸７，７を介して収容容器２の側方に取り付けられた一対の車輪３，３と、車軸７，７上に配設され、微生物用担体を攪拌する４本の攪拌羽根９…とから概略構成されている。
【００１３】
ステンレス製もしくはプラスチック製の収容容器２は、攪拌時に未攪拌領域ができないように円筒状とされている。円筒容器の両端面をそれぞれ側面部２ａとし、上部周面部は開口部５とされ、開口部５を覆う開閉式の蓋６が取り付けられている。図３に示すように、開口部５の前面部２ｂおよび後面部２ｃは両側面部２ａ，２ａに比べて高さが低くなっており、蓋６をした状態で前面部２ｂおよび後面部２ｃから空気Ａを取り込めるようになっている。このため、雨天時でも雨水が収容容器２内に浸入することがない。
【００１４】
また、収容容器２の前部には、糞処理装置１を牽引するための牽引レバー４が取り付けられている。この牽引レバー４は、基端部４ａを軸として鉛直面内に回動するようになっており、取り外すこともできる。
一方、収容容器２の後部には、収容容器２が後方に転倒しないように、くの字形の棒状材からなる転倒防止材１０が取り付けられている。なお、収容容器２の前部に、収容容器２が前方に転倒しないように、キャスターを取り付けても良い。
【００１５】
収容容器２の両側面部２ａ，２ａをそれぞれ貫通する車軸７，７は、収容容器２の中央部においてスリーブ８で連結されており、左右の車輪３，３は、独立して回転することができる。このため、反転等が容易でスムーズに進行方向を変えることができる。
また、攪拌時に開口部５から微生物用担体が溢れ出ないように、円筒状の収容容器２の中心軸から斜め下方にＥだけ偏心した位置に車軸７，７が設置されている（図３参照）。
【００１６】
攪拌羽根９は、基端部９ｃが円筒状とされ、車軸７の外周部に固定されている。特に、スリーブ８の両端に配された攪拌羽根９，９は、その基端部９ｃ，９ｃでスリーブ８の軸方向移動を拘束している。
攪拌羽根９の中間部９ｂは、微生物用担体を攪拌する際の抵抗を小さくするため、棒状になっている。一方、攪拌羽根９の先端部９ａは、微生物用担体を均一に攪拌するために平板状になっている。
なお、本実施形態では、攪拌羽根９は４本としているが、５本以上としても良い。
【００１７】
次に、上記構成を有する糞処理装置１の使用方法について図４に基づいて説明する。
先ず、糞処理装置１の使用に先立ち、糞を分解処理する微生物を保持する微生物用担体Ｃを開口部５から収容容器２内に投入しておく。ここで、微生物としては、バイオトイレなどで一般的に使用される好気性の菌を使用することができる。また、微生物用担体Ｃとしては、おが屑や木片を炭化させた炭化チップなどが好適である。
愛玩動物が排泄した糞を開口部５から収容容器２内に投入して蓋６をした後、糞処理装置１を牽引して車輪３，３を回転させると、車軸７，７の回転に伴って、攪拌羽根９…が車軸７，７を回転軸として収容容器２内で回転し、微生物用担体Ｃを攪拌する。微生物用担体Ｃを攪拌することにより、微生物が活性化し、収容容器２内に投入された愛玩動物の糞は水と二酸化炭素などに分解されて消滅する。
【００１８】
本実施形態による愛玩動物の糞処理装置１では、微生物および微生物用担体Ｃが収容される収容容器２に車輪３，３を取り付け、車輪３，３の回転力を利用して車軸７，７上に配設した攪拌羽根９…を回転させ、微生物用担体Ｃを攪拌する。このため、愛玩動物を散歩させている間に、愛玩動物が排泄した糞を分解処理することができるうえ、微生物用担体Ｃの攪拌に電力を必要としないのでランニングコストも掛からない。
【００１９】
次に、糞処理装置１の他の使用方法について説明する。
図５は、糞処理装置１を自宅で使用する際に使用するスタンド１１を示したものである。本スタンド１１は、図５（ａ）に示すように、収容容器２とほぼ同じ曲率半径を有する半円筒状の凹面部１２と、当該凹面部１２を支持する並設された脚部１３，１３とから概略構成され、凹面部１２の後部中央には、外部に開口するスリット１２ａが形成されている。また、並設された脚部１３，１３を回転軸１５が貫通し、当該回転軸１５の両端には、糞処理装置１の車輪３と接するように配置されたローラ１４がそれぞれ取り付けられている。
【００２０】
なお、微生物が活性化する適正温度は４０〜６０℃であるため、温度が低い場合は、図５（ｂ）に示すように、凹面部１２の上にマットヒーター１６を敷いて収容容器２を加熱しても良い。
【００２１】
糞処理装置１を自宅で使用する場合は、図６に示すように、凹面部１２のスリット１２ａに転倒防止材１０を挿入した状態で、糞処理装置１をスタンド１１に載置する。そして、一方の車輪３のホイール部３ａに棒状のハンドル１７を装着して、当該車輪３を転倒防止材１０の方向に回転させる（このようにすれば、転倒防止材１０がストッパーとなるので、収容容器２が回転することは無い。）。一方の車輪３の回転力は、当該車輪３と接する一方のローラ１４から回転軸１５および他方のローラ１４を介して他方の車輪３に伝達される。なお、このようにするのは、車軸７，７同士をスリーブ８で連結しているため、単に一方の車輪３を回転させても他方の車輪３は回転しないからである。
通常、５分間程度、車輪３を回転させて微生物用担体を攪拌させた後、２５分間程度、休止することで、糞が分解処理される。
【００２２】
本実施形態は、糞処理装置１をスタンド１１に載置し、一方の車輪３にハンドル１７を装着してハンドル１７を回すことで車輪３，３を回転させ、微生物用担体を攪拌させるものであり、散歩ができない場合でも、愛玩動物の糞を自宅で分解処理することができる。
【００２３】
以上、本発明の実施形態について説明したが、本発明は上記の実施形態に限定されるものではなく、その趣旨を逸脱しない範囲で適宜変更可能である。例えば、攪拌羽根の形状は上記実施形態の形状に限定されるものではなく、螺旋状など他の形状でも良いことは言うまでもない。
また、上記の実施形態では、マットヒーターを用いて収容容器を加熱しているが、収容容器の外周面にポケットを設け、ポケットに使い捨てカイロを入れて収容容器を加熱しても良い。このようにすることで、冬季における散歩時にも収容容器を加熱することが可能となる。
さらにまた、上記の実施形態では、糞処理装置を二輪走行としているが、収容容器を大きくして四輪走行とし、前方と後方の車軸にそれぞれ攪拌羽根を設置してもよい。
【図面の簡単な説明】
【００２４】
【図１】本発明に係る愛玩動物の糞処理装置の使用方法を示した図である。
【図２】同、斜視図である。
【図３】同、側断面図である。
【図４】同、攪拌方法を説明するための図である。
【図５】本発明に係る愛玩動物の糞処理装置が載置されるスタンドの斜視図である。
【図６】本発明に係る愛玩動物の糞処理装置の室内における使用方法を説明するための図である。
【符号の説明】
【００２５】
１  糞処理装置
２  収容容器
２ａ  側面部
２ｂ  前面部
２ｃ  後面部
３  車輪
３ａ  ホイール部
４  牽引レバー
４ａ，９ｃ  基端部
５  開口部
６  蓋
７  車軸
８  スリーブ
９  攪拌羽根
９ａ  先端部
９ｂ  中間部
１０  転倒防止材
１１  スタンド
１２  凹面部
１２ａ  スリット
１３  脚部
１４  ローラ
１５  回転軸
１６  マットヒーター
１７  ハンドル
Ｄ  愛玩動物
Ｃ  微生物用担体
Ａ  空気
【図１】
2008079546.tif 000003
【図２】
2008079546.tif 000004
【図３】
2008079546.tif 000005
【図４】
2008079546.tif 000006
【図５】
2008079546.tif 000007
【図６】
2008079546.tif 000008